(57)【要約】      （修正有）【課題】耐久性の高く、小さな荷重に対しても追従し、さらに、寝返り時のねじれ（せん断力）を吸収し、底つきを感じるような沈み込みのない寝心地の良いベッド等に用いるジェル状クッションを提供することを目的とする。【解決手段】ジェル状クッションにおいて、ジェル状樹脂製の連続した格子壁により複数の多角形の集合体であるハニカム形状構造としたジェル状格子体を形成し、その上下積層方向の圧縮性、屈曲性及び座屈性を異なるように設定したことを特徴とする。【選択図】図１
2005143552.tif 000002
【特許請求の範囲】
【請求項１】
ジェル状樹脂製の連続した格子壁により複数の多角形の集合体であるハニカム形状構造としたジェル状格子体を形成し、前記ジェル状格子体の上下方向の圧縮性、屈曲性及び座屈性を異なるように設定したことを特徴とするジェル状クッション。
【請求項２】
前記ジェル状格子体を構成するハニカム形状構造体の多角形内にその底部から格子壁の高さより低い高さの平面形状が×又は＋形状のジェル状樹脂製のリブを格子壁の内壁に一体に形成したことを特徴とする請求項１に記載のジェル状クッション。
【請求項３】
前記ジェル状格子体を構成するハニカム形状構造体の多角形の断面大きさを上下方向で異なるように一体成形したことを特徴とする請求項１に記載のジェル状クッション。
【請求項４】
前記ジェル状格子体を構成するハニカム形状構造体の多角形の断面大きさが大きいハニカム形状構造体と多角形の断面大きさが小さいハニカム形状構造体をその周囲のみを固定して積層したことを特徴とする請求項１に記載のジェル状クッション。
【発明の詳細な説明】
【技術分野】
【０００１】
本発明は、ベッド等に用いるジェル状クッションに関する。
【背景技術】
【０００２】
ベッド等に用いられるクッションには、人間の体重を支え、保持する機能のほかに、寝心地のよさが要求される。寝心地のよいクッションには、適度な柔らかさと圧縮性、振動吸収性、除湿性、変形追従性やへたりのないことが要求される。そして、従来は、綿や合成繊維のウェブ、ポリウレタン発泡体などの合成樹脂発泡体、コイル状のバネ体などを、単独、或いはこれらを組み合わせて用いてきた。
また、ベッド等に用いられるクッションには、スポンジゴム、半硬質材やジェル状物質をそのまま利用したり、又、柱形状にして並べたものがあり、さらに、それらの物質で形成した隔壁を格子状に並立させたものが開発されている。
【特許文献１】実開昭５２−１５３０７号公報
【特許文献２】特公表２００１−５１４９１１号公報
【発明の開示】
【発明が解決しようとする課題】
【０００３】
しかしながら、柱形状及び隔壁をスポンジゴムで構成した格子状クッションにおいては、隔壁のスポンジゴムの圧縮性によりクッション性を持たせたものであるため、底つき感が生じやすい。隔壁を半硬質材で構成した格子状クッションにおいては、隔壁の半硬質材の側方への傾動によってクッション性を持たせたものであるため、柔らかさに欠き、小さな荷重に対応する緩衝性に劣るという問題を有する。さらに、両者共、寝返り時に発生するねじれ（せん断力）を吸収しにくい状態となり、寝返りを行うためには大きな筋肉運動を必要とするため、眠りを阻害するといったことが発生しやすかった。隔壁をジェル状物質で構成した格子状クッションにおいては、隔壁のジェル状物質の屈曲性、座屈性によってクッション性を持たせたものであるため、クッション性は良いが、ジェル状物質であるため、いわゆるヘタリが早いなど耐久性に欠けるという問題を有するものであった。
【０００４】
本発明は、前記課題を解決した耐久性の高く、小さな荷重に対しても追従し、さらに、寝返り時のねじれ（せん断力）を吸収し、底つきを感じるような沈み込みのない寝心地の良いベッド等に用いるジェル状クッションを提供することを目的とする。
【課題を解決するための手段】
【０００５】
本第１発明は、前記課題を解決するために、ジェル状クッションにおいて、ジェル状樹脂製の連続した格子壁により複数の多角形の集合体であるハニカム形状構造としたジェル状格子体を形成し、前記ジェル状格子体の上下方向の圧縮性、屈曲性及び座屈性を異なるように設定したことを特徴とする。
【０００６】
本第２発明は、本第１発明のジェル状クッションにおいて、前記ジェル状格子体を構成するハニカム形状構造体の多角形内にその底部から格子壁の高さより低い高さの平面形状が×又は＋形状のジェル状樹脂製のリブを格子壁の内壁に一体に形成したことを特徴とする。
【０００７】
本第３発明は、本第１発明のジェル状クッションにおいて、前記ジェル状格子体を構成するハニカム形状構造体の多角形の断面大きさを上下方向で異なるように一体成形したことを特徴とする。
【０００８】
本第４発明は、本第１発明のジェル状クッションにおいて、前記ジェル状格子体を構成するハニカム形状構造体の多角形の断面大きさが大きいハニカム形状構造体と多角形の断面大きさが小さいハニカム形状構造体をその周囲のみを固定して積層したことを特徴とする。
【発明の効果】
【０００９】
本発明のジェル状クッションにおいて、ジェル状樹脂製の連続した格子壁により多角形のハニカム形状構造としたジェル状格子体を形成し、その上下方向の圧縮性、屈曲性及び座屈性を異なるように設定する構成により、上層のハニカム形状構造の圧縮性、屈曲性及び座屈性を大きくし、下層のハニカム形状構造の圧縮性、屈曲性及び座屈性を小さく設定して、上層において小さな荷重に対する追従性を向上させ、下層で荷重による底つきを感じるような沈み込みを防止する機能を持たせて寝心地を良くし、且つ、病人や介護を必要とする人等長くベッドに横たわらなければならない人の荷重を分散し血行障害等の障害を防止可能とする。
ジェル状格子体を構成するハニカム形状構造体の多角形内にその底部から格子壁の高さの約半分の高さの平面形状が×又は＋形状のジェル状樹脂製のリブを格子壁の内壁に一体に形成する構成により、ジェル状クッションの上下方向の圧縮性、屈曲性及び座屈性を異ならせ、小さな荷重に対する追従性を向上させ、荷重による底つき感を感じるような沈み込みを防止し、荷重の分散性に優れたクッションとすることが可能となる。
ジェル状格子体を構成するハニカム形状構造体の多角形の断面大きさを上下積層方向で異なるように一体成形する構成により、ジェル状クッションの上下方向の圧縮性、屈曲性及び座屈性を異ならせ、小さな荷重に対する追従性の向上と底つき感を感じるような沈み込みを防止し、荷重の分散性に優れたクッションとすることが可能となる。
ジェル状格子体を構成するハニカム構造体の多角形の断面大きさが小さいハニカム形状構造体と多角形の断面大きさが大きいハニカム形状構造体をその周囲のみを固定して積層する構成により、多角形の断面大きさが大きいハニカム形状構造体の中心部が固定されていないため、その構造体が寝返りなどの移動の際発生するねじれ、つぶれといった上下垂直方向以外の運動を吸収しながら皮膚表面の快適さを保ちながらその力を広範囲に広げ、さらに断面大きさの大きい多角形のハニカム形状構造体のねじれつぶれの運動がハニカム形状構造体の側面だけでなく広範囲に動くことが可能になるため、荷重の分散性が一段と向上し、寝心地の良く、血行障害を防止できるクッションを提供できる。
また、本発明のジェル状クッションは、通気性に優れ、汗の吸収発散を促進し、洗濯も容易であるため、使い勝手がよいベッド等に用いるクッションを提供することができる。
さらに、上下の構造体を逆に組み合わせることによって、皮膚への接触面積が増えることになり、よって皮膚感覚が敏感な人や浮腫による皮膚のダメージが心配される場合の皮膚負担を減らすことが可能となる。
また、ハニカムの断面積が小さいため押圧による壁の傾動距離が小さくなるので使用者は横揺れの感覚を軽減することができ、さらに縦横隔壁の傾動が少ないため、長期間の使用により発生する縦横隔壁の変形やヘタリ等を防止する効果もある。
【発明を実施するための最良の形態】
【００１０】
（実施例１）
本発明の実施形態を図により説明する。図１（ａ）（ｂ）（ｃ）は、本発明のジェル状クッションの実施例１を示すものである。ジェル状クッション１は、ジェル状エラストマー及びジェル状粘弾性エラストマーから成る集合体から選択されジェル状樹脂により形成される。ジェル状クッション１は、横方向側壁２、縦方向側壁３、横方向隔壁４及び縦方向隔壁５とで複数の断面矩形の集合体であるハニカム形状構造体に形成される。ハニカム形状構造体の単位多角形の断面形状は、実施例に示された矩形に限らず、他の多角形であってもよい。ハニカム形状構造体の横方向隔壁４と縦方向隔壁５とで囲まれた断面多角形の底部から前記横縦隔壁４、５の高さより低い高さまで伸びるジェル状樹脂で形成される平面形状が図１（ａ）（ｂ）に示されるように×形状又は図１（ｃ）に示されるように＋形状のリブ６が形成される。リブ６の両端は前記横縦隔壁４、５の内壁に一体に連結される。リブ６の形状は、ジェル状クッション１の上下方向の圧縮性、屈曲性及び座屈性が適度に異なるようにするものであれば形状はどのような形状であってもよい。また、リブ６の底部からの高さは、リブ６の厚みを厚くすることにより低くすることができる。ジェル状クッション１をこのように構成することにより、リブ６の形成されていない部分の圧縮性、屈曲性及び座屈性は、リブ６の形成されている部分の圧縮性、屈曲性及び座屈性に比較して大きいため、ジェル状クッション１の上部は、小さい荷重に対しても追従し、その荷重を分散し、ジェル状クッション１の下部は圧縮性、屈曲性及び座屈性が上部に比較して小さいため荷重による沈み込みを防止する。
【００１１】
（実施例２）
図２（ａ）（ｂ）（ｃ）は、本発明のジェル状クッションの実施例２を示すものである。この実施例２に示すジェル状クッション７は、ジェル状エラストマー及びジェル状粘弾性エラストマーから成る集合体から選択されジェル状樹脂により形成される。ジェル状クッション７は、上下２つの部分８及び９により構成される。図２（ａ）に示されるように、ジェル状クッション７の上部分８は、実施例１のジェル状クッション１と同様に、横方向側壁１０、縦方向側壁１１、横方向隔壁１２及び縦方向隔壁１３とで複数の断面矩形の集合体であるハニカム形状構造体に形成される。図２（ｂ）に示されるように、ジェル状クッション７の下部分９は、横方向側壁１４、縦方向側壁１５、横方向隔壁１６及び縦方向隔壁１７とで複数の断面矩形の集合体であるハニカム形状構造体に形成される。ジェル状クッション７の上下部分８，９で相違するのは、ハニカム形状構造体を構成する多角形の断面大きさが、上部分９が下部分１０より大きく形成され点である。図２（ｃ）に示されるように、ジェル状クッション７の上下部分８，９は一体成形される。ジェル状クッション７の上部分８のハニカム形状構造体を構成する多角形の断面大きさが下部分１０のハニカム形状構造体を構成する多角形の断面大きさより大きくして一体成形することにより、ジェル状クッション７の上部分８は、小さい荷重に対しても追従し、その荷重を分散し、ジェル状クッション７の下部分９は圧縮性、屈曲性及び座屈性が上部に比較して小さいため荷重による沈み込みを防止する。
【００１２】
（実施例３）
図３（ａ）（ｂ）（ｃ）は、本発明のジェル状クッションの実施例３を示すものである。この実施例３に示すジェル状クッション１８は、ジェル状エラストマー及びジェル状粘弾性エラストマーから成る集合体から選択されジェル状樹脂により形成される。ジェル状クッション１８は、上下２つの部分１９及び２０により構成される。図３（ａ）に示されるように、ジェル状クッション１８の上部分１９は、横方向側壁２１、縦方向側壁２２、横方向隔壁２３及び縦方向隔壁２４とで複数の断面矩形の集合体であるハニカム形状構造体に形成される。図３（ｂ）に示されるように、ジェル状クッション１８の下部分２０は、横方向側壁２５、縦方向側壁２６、横方向隔壁２７及び縦方向隔壁２８とで複数の断面矩形の集合体であるハニカム形状構造体に形成され、その上面の周囲のみに不織布、布、テープ、紙等のシート状物２９が接着される。図３（ｃ）に示されるように、ジェル状クッション１８の上下部分１９、２０はそれぞれ別体として成形され、ジェル状クッション１８の上部分１９は、下部分２０の上面の周囲のみに接着されたシート状物２９を挟んで接着剤や熱溶着により接着して一体とされる。ジェル状クッション１８の上部分１９のハニカム形状構造体を構成する多角形の断面大きさは、下部分２０のハニカム形状構造体を構成する多角形の断面大きさより大きくする。ジェル状クッション１８の上部分１９の圧縮性、屈曲性及び座屈性は、下部分２０の圧縮性、屈曲性及び座屈性に比較して大きく、上部分１９は下部分２０に対して周囲のみを固定された状態であるため、寝返りなどの移動の際、断面大きさの大きい多角形のハニカム形状構造体のねじれつぶれの運動がハニカム形状構造体の側面だけでなく広範囲に動くことが可能になるため、荷重の分散性が一段と向上し、ジェル状クッション１８の上部分１９は、小さい荷重に対しても追従し、その荷重を分散し、ジェル状クッション１８の下部分２０は圧縮性、屈曲性及び座屈性が上部に比較して小さいため荷重による沈み込みを防止する。
【図面の簡単な説明】
【００１３】
【図１】（ａ）（ｂ）（ｃ）本発明の実施例１を示す図である。
【図２】（ａ）（ｂ）（ｃ）本発明の実施例１を示す図である。
【図３】（ａ）（ｂ）（ｃ）本発明の実施例２を示す図である。
【符号の説明】
【００１４】
１    ジェル状クッション
２    横方向側壁
３    縦方向側壁
４    横方向隔壁
５    縦方向隔壁
６    リブ
７    ジェル状クッション
８    上部分
９    下部分
１０  横方向側壁
１１  縦方向側壁
１２  横方向隔壁
１３  縦方向側壁
１４  横方向側壁
１５  縦方向側壁
１６  横方向隔壁
１７  縦方向隔壁
１８  ジェル状クッション
１９  上部分
２０  下部分
２１  横方向側壁
２２  縦方向側壁
２３  横方向隔壁
２４  縦方向隔壁
２５  横方向側壁
２６  縦方向側壁
２７  横方向隔壁
２８  縦方向隔壁
２９  シート状物
【図１】
2005143552.tif 000003
【図２】
2005143552.tif 000004
【図３】
2005143552.tif 000005